(57)【要約】【課題】便座の保温のための非使用時の待機電力を削減し極めて省エネルギーであるとともに安全な便座暖房を提供する。【解決手段】着座部２４と内部に空洞部２７を有し、かつ輻射熱透過性の材料で形成した便座２２と、便座の空洞部に設け、着座部を加熱するランプヒーター２９と、便座の着座部の外表面に設けた輻射熱吸収層４２と、輻射熱吸収層の温度を検知するサーミスタ４４と、ランプヒーター２９に対向して露出させたバイメタル５１を有し、かつランプヒーターに直列に接続したサーモスタット３０と、サーミスタの信号によりのランプヒーターの温度を制御する制御部５０とを備えることにより、便座２２の表面温度の異常過昇を検知して回路を遮断することにより、短時間で便座暖房が可能であるとともに安全な暖房便座を得ることができる。【選択図】図１
2005218538.tif 000002
【特許請求の範囲】
【請求項１】
着座部と内部に空洞部を有し、かつ輻射熱透過性の材料で形成した便座と、前記便座の空洞部に設け、前記着座部を加熱する輻射型発熱体と、前記便座の着座部の温度を検知する温度検知手段と、前記輻射型発熱体に直列に接続し、かつ前記輻射型発熱体に対向して露出させたバイメタルを有するサーモスタットと、前記温度検知手段の信号により前記輻射型発熱体の温度を制御する制御部とを備えた暖房便座。
【請求項２】
着座部と内部に空洞部を有し、かつ輻射熱透過性の材料で形成した便座と、前記便座の空洞部に設け、前記着座部を加熱する輻射型発熱体と、前記便座の着座部の外表面に設けた輻射熱吸収層と、前記輻射熱吸収層の温度を検知する温度検知手段と、前記輻射型発熱体に直列に接続し、かつ前記輻射型発熱体に対向して露出させたバイメタルを有するサーモスタットと、前記温度検知手段の信号により前記輻射型発熱体の温度を制御する制御部とを備えた暖房便座。
【請求項３】
サーモスタットは、そのバイメタル表面に輻射熱吸収材を備えた請求項１または請求項２に記載の暖房便座。
【請求項４】
輻射熱吸収材は、耐熱性の黒色塗料で形成した請求項３に記載の暖房便座。
【請求項５】
輻射型発熱体と便座表面との間の距離は、前記輻射型発熱体とサーモスタットとの間の距離より大きくした請求項１〜４のいずれか１項記載の暖房便座。
【請求項６】
サーモスタットは、そのオフ動作温度を便座の最高設定温度以上で、かつ前記便座の安全限界温度以下に設定した請求項１〜５のいずれか１項記載の暖房便座。
【請求項７】
輻射型発熱体は、複数個とし、サーモスタットは前記各々の輻射型発熱体に対向して設け、かつ電気的に直列に接続した請求項１〜６のいずれか１項記載の暖房便座。
【請求項８】
少なくとも１つのサーモスタットは、第一のバイメタルと、前記第一のバイメタルとはオフ動作温度の異なる第２のバイメタルを有する請求項７記載の暖房便座。
【請求項９】
請求項１から請求項８のいずれか１項に記載の暖房便座を便器に備えたトイレ装置。
【発明の詳細な説明】
【技術分野】
【０００１】
本発明は、暖房機能を有する便座に関するものである。
【背景技術】
【０００２】
従来のこの種の暖房便座では、図８に示すように内部に空洞部１を形成し、便器上に載せて使用する輪状の便座２の着座部３を透明ポリプロピレン樹脂で構成し、空洞部１に便座２の輪状の全体に沿って設けたランプヒーター４からの輻射熱を着座部３にすばやく伝えて使用者が着座する面である採暖面をすばやく昇温させ、一方、ランプヒーター４に直列に接続したサーモスタット５により便座２の温度過昇を防止するという構成であった（例えば、特許文献１参照）。
【０００３】
しかしながら、図８の構成ではサーモスタット５を設置して温度過昇に対する安全が図られているが、このサーモスタット５の構造についての詳しい記述が無く、一般的に用いられているバイメタル式のサーモスタットとした場合は、図９に示すようにランプヒーター４の輻射熱を受ける感熱面６と、感熱面６から輻射熱を受ける内部のバイメタル７の間には僅かな間隙ｄが形成されているため、感熱面６からバイメタル７への熱伝達は感熱面６からの輻射が主体になるために、バイメタル７の温度上昇に時間がかかり、この応答遅れから温度過昇の検知遅れにより安全面が危ぶまれることが考えられる。
【０００４】
すなわち、この種の暖房便座において、ランプヒーター４は省電力のため使用者の便座への着座直前に通電して着座するまでの短時間に、すばやく便座を適温にしなければならないので、瞬間的に温度上昇する形態のランプヒーターを使用しなければならない。従って、このようなランプヒーターの通電回路に、上記した形態のサーモスタットを接続して温度過昇防止手段として使用した場合には、通常の暖房器具で使用した電気ヒーターでは殆ど問題にならないサーモスタットの応答遅れでも、お尻を直接に乗せ、かつ瞬間的に温度上昇していくランプヒーターを使用した暖房便座では、即座に適温を越えて熱くなり使用者に不快感を与え、更には不快感を越えた熱さになれば使用者が便座から立ち上がらなければならなくなる事態も考えられる。
【特許文献１】特開２０００−２１０２３０号公報
【発明の開示】
【発明が解決しようとする課題】
【０００５】
前記従来の技術の問題点に鑑み、本発明が解決しようとする課題は、輻射型発熱体の温度変化を速やかに検知し、安全で快適に使用できる暖房便座を提供することにある。
【課題を解決するための手段】
【０００６】
前記課題を解決するために本発明は、着座部と内部に空洞部を有し、かつ輻射熱透過性の材料で形成した便座と、前記便座の空洞部に設け、前記着座部を加熱する輻射型発熱体と、前記便座の着座部の温度を検知する温度検知手段と、前記輻射型発熱体に直列に接続し、かつ前記輻射型発熱体に対向して露出させたバイメタルを有するサーモスタットと、前記温度検知手段の信号により前記輻射型発熱体の温度を制御する制御部とを備えた暖房便座である。
【０００７】
この構成によって、暖房便座は輻射型発熱体に対向して露出したサーモスタットのバイメタルが輻射型発熱体の輻射熱で直接に加熱され、温度変化を速やかに検知でき応答遅れのない温度制御により安全で快適に暖房便座を使用できる。
【発明の効果】
【０００８】
本発明の暖房便座は、輻射型発熱体からの輻射熱で直接にサーモスタットのバイメタルが加熱され温度変化を速やかに検知でき、便座の温度変化を速やかに制御することができる。
【発明を実施するための最良の形態】
【０００９】
第１の発明は、着座部と内部に空洞部を有し、かつ輻射熱透過性の材料で形成した便座と、前記便座の空洞部に設け、前記着座部を加熱する輻射型発熱体と、前記便座の着座部の温度を検知する温度検知手段と、前記輻射型発熱体に直列に接続し、かつ前記輻射型発熱体に対向して露出させたバイメタルを有するサーモスタットと、前記温度検知手段の信号により前記輻射型発熱体の温度を制御する制御部とを備えた暖房便座である。
【００１０】
第２の発明は、着座部と内部に空洞部を有し、かつ輻射熱透過性の材料で形成した便座と、前記便座の空洞部に設け、前記着座部を加熱する輻射型発熱体と、前記便座の着座部の外表面に設けた輻射熱吸収層と、前記輻射熱吸収層の温度を検知する温度検知手段と、前記輻射型発熱体に直列に接続され、かつ前記輻射型発熱体に対向して露出させたバイメタルを有するサーモスタットと、前記温度検知手段の信号により前記輻射型発熱体の温度を制御する制御部とを備えた暖房便座である。
【００１１】
第１の発明または第２の発明の形態により、サーモスタットは輻射型発熱体からの輻射熱で直接、バイメタルが加熱され、便座の温度変化を速やかに予見し、輻射型発熱体の通電回路に異常が発生した時に、便座温度が異常過昇する前に通電回路を遮断することができる。従って、輻射型発熱体を常時通電させておいて便座を加温して置く必要がなく、使用者がトイレに入室し、便座に着座するまでの例えば、数秒間の瞬間的に便座の着座部を適温まで高速に昇温させることができる輻射型発熱体の使用が可能になり、非常に省エネの暖房便座を安全に使用可能にできる。
【００１２】
第３の発明は、第１の発明または第２の発明において、輻射型発熱体に対向して設置されたサーモスタットのバイメタル表面に輻射熱吸収材を備えたもので、この輻射熱吸収材で輻射型発熱体からバイメタルに輻射された熱を効率よく吸収して、より速やかにバイメタルの温度を上げ、便座の温度変化を速やかに予見し、輻射型発熱体の通電回路に異常が発生した時に、便座温度が異常過昇する前に通電回路を遮断することが可能になる。
【００１３】
第４の発明は、第３の発明において輻射熱吸収材を耐熱性の黒色塗料としたもので、黒色塗料により、輻射型発熱体からの熱を効果的に吸収してバイメタルの温度を上昇させるので、便座温度の異常過昇を早期に検知することができる。
【００１４】
第５の発明は、第１〜第４の発明のいずれか１つの発明において、輻射型発熱体と便座表面との間の距離を、前記輻射型発熱体とサーモスタットとの間の距離より大きくしたもので、便座表面よりもサーモスタットの温度上昇を早くして、便座表面温度の異常過昇を早期に検知することができる。
【００１５】
第６の発明は、第１〜第５の発明のいずれか１つの発明において、サーモスタットのオフ動作温度を便座の最高設定温度以上で、かつ便座の安全限界温度以下に設定したもので、通常の使用状態でサーモスタットが作動するような誤動作が無く、かつ便座表面温度が異常過昇した場合でも火傷の危険があるような安全限界温度より低い温度で確実に輻射型発熱体の通電回路を遮断することができる。
【００１６】
第７の発明は、第１〜第６の発明のいずれか１つの発明において、輻射型発熱体を複数個とし、前記各々の輻射型発熱体に対向して設け、かつ電気的に直列に接続したサーモスタットを備えたもので、サーモスタットを電気的に直列に接続することにより、何れの輻射型発熱体に異常過昇が発生しても何れかのサーモスタットで確実に輻射型発熱体の通電回路を遮断することができる。
【００１７】
第８の発明は、第７の発明において、少なくとも１つのサーモスタットはオフ動作温度の異なる２枚のバイメタルを備えたもので、これによって片方のバイメタルが何らかの原因により動作不能となっても、もう一方のバイメタルが動作するので、安全性が格段に向上する。
【００１８】
第９の発明は、上記の第１から第８の発明のいずれか一つの発明に記載の暖房便座を便器に備えたトイレ装置で、上記した各発明の作用効果を期待できるトイレ装置が得られ、快適に使用することができる。
【００１９】
本発明の目的は、第１の発明から第９の発明を実施の形態の要部とすることにより達成できるので、各請求項に対応する実施の形態の詳細を、以下に図面を参照しながら説明し、本発明を実施するための最良の形態の説明とする。なお、この実施の形態によって本発明が限定されるものではない。また、本実施の形態の説明において、同一構成並びに作用効果を奏するところには同一符号を付して重複した説明を行わないものとする。
【００２０】
（実施の形態１）
図１は本発明の実施の形態１における暖房便座の便座の要部を断面した概略構成図で、図２は同暖房便座を搭載したトイレ装置の斜視図で、図３は同暖房便座の便座の一部を切り欠いて示した平面図で、図４は同暖房便座の便座ケース上部の要部断面図である。
【００２１】
図１から図３において、用便後の肛門およびビデを洗う温水洗浄機能付きの暖房便座は、トイレ装置の便器２０の後端部に横長の本体２１が取り付けられており、この本体２１内には温水洗浄機能の一部が内装され、かつ便器２０上に載せられた輪状の便座２２および便蓋２３が回動自在に設けられている。また、本体２１の袖部にはトイレ室の人体の有無を検知する赤外線センサー２５が内装されている。便座２２は、図１に示すように合成樹脂製の上・下２つの部材をそれぞれの内周縁および外周縁で溶着接合することによりケース２６を形成し、その内部には水等の浸入を阻止できる密閉された空洞部２７を有する構造となっている。
【００２２】
空洞部２７の内部には、トイレ装置を使用する使用者が腰掛ける便座２２の着座部２４に対向して、アルミ板を鏡面仕上げした輻射熱反射板２８と、着座部２４の両側において複数の輻射型発熱体である２本のランプヒーター２９とが設けられている。輻射熱反射板２８は、図１に示すように、その内外端部の全周に上方への折り曲げ部２８ａを有しており、その折り曲げ部２８ａによりランプヒーター２９からの熱輻射が偏向されるので、ランプヒーター２９から離れている着座部２４の外周縁部および内周縁部の輻射密度を上げるように作用し、ケース２６上部への輻射熱分布の均一化を図っている。このランプヒーター２９の近傍には、ランプヒーター２９と電気的に直列接続されたサーモスタット３０および温度ヒューズ３１が設けられ、万一の不安全事態に対して便座２２の着座部２４の温度過昇を防止するよう作用する。
【００２３】
ランプヒーター２９は、ガラス管３２の内部にタングステンからなるフィラメント３３を貫通しハロゲンガス３４を封入して構成されており、フィラメント３３の発熱に伴ってハロゲン化タングステンを形成するハロゲンサイクル反応を繰り返すことにより、フィラメント３３の消耗を防止するよう作用している。この作用により熱容量の非常に小さいフィラメント３３を熱源とすることができ、輻射エネルギーの極めて急峻な立ち上がりを行わせることができる。従って、ランプヒーター２９は、使用者がトイレ室に入室し、衣服を下ろし、お尻を便座２２の着座部２４に着座するまでの例えば、数秒間である瞬間的に便座２２の着座部２４を適温まで高速に昇温させることができる輻射型発熱体を使用し、常時通電させておいて便座を加温して置く必要のない省電力型の輻射型発熱体にする。
【００２４】
このランプヒーター２９は、弾性材であるゴム製のゴムブッシュ３５を有するランプヒーター固定具３６により輻射熱反射板２８に固定され、輻射熱反射板２８はゴム製のゴム足３７によりケース２６の基板である底に固定されている。３８は便器２０上に乗っている便座２２のゴム製の脚ゴム３９内に設けられたマイクロスイッチ４０で構成された着座検知手段で、便座２２の着座部２４に着座した使用者の荷重でマイクロスイッチ４０がオンすることにより使用者の着座を検知するようになっている。
【００２５】
図４において、便座２２を構成するケース２６は、透明ポリプロピレン樹脂材料を用いて射出成形で構成されたケース本体４１の上面にカーボンブラックを多量に含有する輻射熱吸収層４２を形成し、さらにその上にランプヒーター２９から放射される全ての可視光を遮蔽するとともに、表面硬度、耐薬品性能、光沢等を考慮した光遮断層である表面化粧層４３を形成したものである。なお、表面化粧層４３はランプヒーター２９から放射される全ての可視光を遮るものでなくても、本発明の目的を達成できるものである。
【００２６】
便座２２を構成するケース２６の上であるケース本体４１は、透明ポリプロピレン樹脂材料を平均厚み２．５ｍｍにて成形することにより、輻射熱透過率を７０％以上に設定するとともに、その剛性から便座の構造矩体として機能している。輻射熱吸収層４２の厚みは、０．１ｍｍ、表面化粧層４３の厚みは０．２ｍｍであり、これら両層はケース本体４１を透過した輻射熱を完全に吸収し、熱容量が非常に小さいので瞬時に昇温するとともに、放射可視光を完全に遮蔽する。
【００２７】
また便座２２を構成するケース２６のケース本体４１には、その内面に開口した凹部に、ランプヒーター２９、サーモスタット３０、温度ヒューズ３１の直列接続したランプヒーター２９の通電回路に直列接続した便座温度検知手段であるサーミスタ４４が嵌め込まれ、ランプヒーター２９により加熱される着座部２４の輻射熱吸収層４２近傍の温度を検知できるようになっている。また便座２２は、その回動軸４５に電極４６が形成され、本体２１の軸受け部（図示せず）とともに便座位置検知手段４７を構成し、便座２２が起立状態にあるか、着座して使用できる便器２０上に略水平の使用位置にあるかを検出するようになっている。
【００２８】
本体２１には、室温検知手段としての室温サーミスタ４８の検知信号を取り込んでランプヒーター２９の温度制御を行い、かつ便座２２のランプヒーター２９に通電することにより昇温を開始した時点からの経過時間をカウントするタイマー部４９を有するマイクロコンピュータを主体とする制御部５０が設けられている。そして、制御部５０は赤外線センサー２５や着座検知手段３８と便座位置検知手段４７の信号を取り込んでランプヒーター２９への通電の開始と停止の制御と、サーミスタ４４、室温サーミスタ４８からの信号を取り込んで採暖面である着座部２４の温度が適温である所定の温度になるようランプヒーター２９の温度制御が行えるようになっている。
【００２９】
図５において、サーモスタット３０はバイメタル５１を外部に露出し、そのバイメタル５１の表面に輻射熱吸収材５２として耐熱性の黒色塗料を塗布している。そして、サーモスタット３０は輻射熱吸収材５２により輻射型発熱体からバイメタル５１に向けて輻射された熱を効率よく吸収し、より速やかにバイメタルの温度を上げるように構成している。また、サーモスタット３０は、ランプヒーター２９とサーモスタット３０との間の距離ｂより、ランプヒーター２９と便座２２の表面との間の距離ａが大きくなるように設定されている。
【００３０】
上記実施の形態において、使用者がトイレに入室した場合、赤外線センサー２５がそれを検知し、その信号が制御部５０に送られる。このとき、便座位置検知手段４７の信号により便座２２が略水平の使用位置にあるのを確認すると、制御部５０はランプヒーター２９に通電を開始する。この初期通電により投入エネルギーは瞬時に輻射エネルギーに変換され、フィラメント３３からガラス管３２および輻射熱反射板２８を経てケース本体４１の方向に放射される。さらに、ランプヒーター２９の輻射エネルギーはケース本体４１の内部で一部吸収、あるいは反射されるが、その大半は透過し輻射熱吸収層４２および表面化粧層４３の昇温に寄与する。従って、ランプヒーター２９は使用者がトイレに入室した場合に通電し、便座２２の着座部２４の採暖面をほぼ瞬時に加温することができるので、常時通電しておくことのない非常に省エネ型の輻射型発熱体になる。
【００３１】
制御部５０は、通電開始時のサーミスタ４４および室温サーミスタ４８の信号をもとに、両者の温度差やそれぞれの温度から演算を行い、あらかじめ設定・記憶されている初期通電の通電制限時間の最適値を選択し、タイマー部４９でカウントしている経過時間が通電制限時間に到達すると通電量を低減または零にし、その後サーミスタ４４の信号をもとに便座２２の着座部２４が適温になるよう通電量を制御する。
【００３２】
これにより、サーミスタ４４は実際に使用者が触れる着座部２４付近の温度を検知し、制御部５０は精度良く適温まで昇温・維持するので、便座２２の使用が快適であり、さらにサーミスタ４４および室温サーミスタ４８の信号をもとに負荷量に合わせて輻射エネルギーの投入量を制御するので、より精度良く安全に適温まで加熱することができる。
【００３３】
また、初期通電時間制御を優先的に行うことで通電制限時間後は通電量を低減し昇温速度を減ずるので、便座温度検知手段の応答速度が遅くても安全に便座を加温することができ、また安価な便座温度検知手段を使用することもできる。通常、一般的なヒーターでは、印加電圧を低減させて温度を制御するものが多いが、ランプヒーター２９はフィラメント３３の発熱に伴ってハロゲン化タングステンを形成するハロゲンサイクル反応を繰り返すことにより、フィラメント３３の消耗を防止しているため、ガラス管の温度が２００℃以下になるとハロゲンサイクルが不調となる。従って、ランプヒーター２９で着座部２４を適温にするためには、ハロゲンサイクルが有効な出力範囲で通電サイクルを変化させて行う。
【００３４】
一方、便座２２が起立状態にあったり、男子使用者がトイレ室に入室後小用のために便座２２を起立状態に立てた時は、便座位置検知手段４７の信号をもとに制御部５０がランプヒーター２９への通電を停止する。これにより、無駄に便座２２を加温することを低減でき、さらに省エネを図ることができるとともに、通電状態で、かつフィラメント３３の張力方向である長さ方向に重力がかかって断線することを防止できる。
【００３５】
また、使用者が目的に合わせて便座２２を起立状態と略水平状態の倒立に開閉しても、弾性材であるゴムブッシュ３５を有するランプヒーター固定具３６の衝撃減衰効果に加えてゴム足３７の効果により、ランプヒーター２９への衝撃が吸収され、ガラス管やフィラメントの破損を防ぐことができる。
【００３６】
次に、使用者が排便のために着座すると、着座検知手段３８の信号によりランプヒーター２９への通電量を零または便座温度が過昇しないところまで、上述のようにハロゲンサイクルが有効な出力範囲で通電サイクルを変化させて制御する。これにより、使用中に便座温度が過昇することなく、火傷等が生じる心配なく安全に使用できる。
【００３７】
特に、暖房便座はランプヒーターを内蔵した便座に直接皮膚を接触させて着座するため、安全に対しては十分な配慮が必要である。通常の使用状態では、上述のように安全に快適に使用できるが、万一何らかの原因でマイコン（図示せず）等の制御部５０に不具合が生じ、ランプヒーター２９への通電が継続して行われた場合などにも安全に動作することが必要である。
【００３８】
サーモスタットは通常、図９に示すようにバイメタルがカバーに内包されている構成のものが使用され、この構成ではまずカバーが加熱され、バイメタルの加熱はカバーからの輻射によって行われるため、バイメタルが所定の温度に達するまで時間を要するので、短時間で便座２２の温度が変化するような場合には回路の遮断に遅れが生じる場合があった。
【００３９】
然るに本実施の形態では、それを解決するために、サーモスタット３０はバイメタル５１を露出し、そのバイメタル５１表面に輻射熱吸収材５２として耐熱性の黒色塗料を塗布している。従って、バイメタル５１を露出させているのでランプヒーター２９からの輻射熱で直接、バイメタル５１が加熱されるのに加えて、バイメタル５１表面に輻射熱吸収材５２として耐熱性の黒色塗料を施しているので、ランプヒーター２９からバイメタル５１へ到達する輻射熱の殆どがバイメタル５１に吸収され便座２２の温度の急激な変動にも迅速に追従し、温度過昇の際にはランプヒーター２９の通電回路を遮断することができる。
【００４０】
さらに、サーモスタット３０はランプヒーター２９とサーモスタット３０間の距離ｂよりランプヒーター２９と便座２２表面間の距離ａが大きくなるような位置に設定している。これにより、便座２２表面温度の上昇より早く、バイメタル５１の温度を上昇させるので、異常時に便座２２表面温度が過昇して火傷等の危険な状態にならないうちにランプヒーター２９の通電回路を遮断することができ安全にできる。
【００４１】
また本実施の形態では、バイメタル５１の温度を早く上昇させることができれば、サーモスタット３０の誤動作も防止することができる。すなわち、バイメタル５１の温度を早く上昇させることができれば、サーモスタット３０のオフ（ランプヒーター２９の通電回路を開く）動作温度を、便座２２の通常使用温度よりも高く設定することができるので、通常使用時にサーモスタット３０が作動して便座の暖房機能が使用できなくなる危険性を回避できる。
【００４２】
つまり、図６は図５に示す構成のサーモスタット３０において、距離ｂ＝７ｍｍ、距離ａ＝１５ｍｍとしてランプヒーター２９に通電した場合のバイメタル５１近傍温度と着座部２４の表面温度を測定した結果である。図６において曲線（Ａ）は着座部２４の表面温度であり、室温５℃では、約７.５秒（ｔ1）で通常の便座制御温度（Ｔ1）までの昇温が可能である。一方、サーモスタット３０のバイメタル５１の温度は曲線（Ｂ）に示すように、着座部２４より速くｔ2時間で便座制御温度（Ｔ1）まで上昇する。着座部２４が便座２２の最高設定温度（Ｔ2）以上となったときバイメタル５１の温度はサーモスタット２９のオフ（開く）動作温度（Ｔ3）に達し、ランプヒーター２９の通電回路を遮断する。また万一、サーモスタット３０に不具合が生じ、ランプヒーター２９の通電回路が遮断できない状態になった場合は、安全限界温度（Ｔ4）に達する前に、温度ヒューズ３１が作動してランプヒーター２９の通電回路を遮断する。このとき便座２２表面温度は、安全限界温度（Ｔ4）に達することは無い。
【００４３】
また、サーモスタット３０の動作温度（Ｔ3）を便座２２の最高設定温度（Ｔ2）以上、かつ安全限界温度（Ｔ4）以下とすることにより、安易に温度ヒューズ３１によるランプヒーター２９の通電回路の遮断が起こり、便座２２の暖房機能が使用できなくなる危険性も無くなる。すなわち、初期通電時間の第一段階は制御部５０のタイマ４９およびサーミスタ４４による温度コントロール、第二段階はサーモスタット３０のオフによるランプヒーター２９の通電回路の遮断（ただし、温度低下により回路は復帰）、第三段階は温度ヒューズ３１によるランプヒーター２９の通電回路の溶断（回路の復帰は不能）と、三段階の安全機能を設定することにより長期間、安全かつ快適に使用することができる。
【００４４】
また本実施の形態では、図３に示すようにランプヒーター２９は便座２２の両側に配置して複数本設置し、各々のランプヒーター２９に対向してサーモスタット３０を設け、各々のサーモスタット３０は電気的に直列に接続している。なお、各々のサーモスタット３０は、オフ動作温度が異なるものを用いたほうが良い（接続様態は図示せず）。
【００４５】
すなわち、各々のランプヒーター２９にサーモスタット３０を直列に接続し、更にこれらを直列接続してランプヒーター２９の通電回路を構成することで、どちらかのランプヒーター２９に異常が生じた場合にサーモスタット３０でランプヒーター２９の通電回路を遮断するため、両方のランプヒーター２９への通電を安全に停止する。そして、サーモスタット３０はオフ動作温度が異なるものを用いているので、万一、一方のサーモスタット３０に不具合が生じ、ランプヒーター２９の通電回路を遮断できない状態になった場合でも、もう一方のサーモスタット３０でランプヒーター２９の通電回路を遮断するので、安全である。また、ランプヒーター２９は複数本に分割しているので、図８に示す従来の輪状の便座２において、輪状の１本のランプヒーター４を便座２の空洞部１の略全体に配置したことにより、便座２の撓みとランプヒーター４の設置誤差等により直接、ランプヒーター４に応力がかかる問題が解消され、便座２２の撓み等によるランプヒーター２９の破損の危険を解消することができる。
【００４６】
（実施の形態２）
図７（ａ）〜（ｃ）は、本発明の実施の形態２における暖房便座のサーモスタットの動作図である。本実施の形態は、実施の形態１の発明と基本的な構成は同じで、異なるのはランプヒーターに直列接続したサーモスタットの構造に改良を加えたもので、従って異なるサーモスタットの構造のみについて説明する。
【００４７】
サーモスタット３０は、内部に第一のバイメタル５３と、この第一のバイメタル５３とこの第一のバイメタル５３とはオフ動作温度の異なる第二のバイメタル５４を有している。そして、サーモスタット３０が正常に作動する場合は図７（ａ）に示すように、ランプヒーター２９の輻射熱を直接に受けた第一のバイメタル５３がオフ動作温度に達した時に反転し、ランプヒーター２９の通電回路に直列接続した接点５５がオフ（開き）となってランプヒーター２９の通電回路が遮断される。
【００４８】
また、図７（ｂ）に示すように、万一何らかの原因で第一のバイメタル５３に折れが生じたりした場合には、温度過昇したランプヒーター２９の輻射熱を直接に受けた第一のバイメタル５３で接点５５をオフにできない場合が生じる。然るに本実施の形態では、第一のバイメタル５３のオフ動作温度より高い温度で第二のバイメタル５４が温度過昇したランプヒーター２９の輻射熱を直接に受けて反転し、接点５５をオフとしてランプヒーター２９の通電回路を安全に遮断する。この場合、第二のバイメタル５４が作動するのは接点の異常時であるので非復帰型とし、以降、ランプヒーター２９に通電されないようにして安全を確保する。
【産業上の利用可能性】
【００４９】
以上のように、本発明の暖房便座は、輻射型発熱体からの輻射熱で直接にサーモスタットのバイメタルが加熱され温度変化を速やかに検知でき、便座の温度変化を速やかに制御することができ安全に使用し得る暖房便座が得られ、使用者が着座する機器の暖房技術として適用することが可能である。
【図面の簡単な説明】
【００５０】
【図１】本発明の実施の形態１における暖房便座の便座の要部を断面した概略構成図
【図２】同実施の形態１における暖房便座を便器に搭載したトイレ装置の斜視図
【図３】同実施の形態１における暖房便座の一部を切り欠いて示す平面図
【図４】同実施の形態１における暖房便座の上部の要部断面図
【図５】同実施の形態１における暖房便座の要部断面図
【図６】同実施の形態１における暖房便座の温度制御の特性図
【図７】（ａ）本発明の実施の形態２における暖房便座のサーモスタットの正常動作図（ｂ）同暖房便座におけるサーモスタットの故障時の図（ｃ）同暖房便座におけるサーモスタットの故障時の動作図
【図８】従来の暖房便座の要部の断面図
【図９】従来の暖房便座のサーモスタットの断面図
【符号の説明】
【００５１】
２２  便座
２４  着座部
２７  空洞部
２９  ランプヒーター（輻射型発熱体）
３０  サーモスタット
４２  輻射熱吸収層
４３  表面化粧層
４４  サーミスタ（温度検知手段）
４８  室温サーミスタ（室温検知手段）
５０  制御部
５１  バイメタル
５２  輻射熱吸収材
５３  第一のバイメタル
５４  第二のバイメタル
ａ  輻射型発熱体と便座表面との間の距離
ｂ  輻射型発熱体とサーモスタットとの間の距離
Ｔ２  便座の最高設定温度
Ｔ４  便座の安全限界温度
【図１】
2005218538.tif 000003
【図２】
2005218538.tif 000004
【図３】
2005218538.tif 000005
【図４】
2005218538.tif 000006
【図５】
2005218538.tif 000007
【図６】
2005218538.tif 000008
【図７】
2005218538.tif 000009
【図８】
2005218538.tif 000010
【図９】
2005218538.tif 000011